(57)【要約】      （修正有）【課題】紫外線などによる、肌の日焼け止めなどのために、日焼け止めクリームなどを、素肌に、直接塗ることなしに日焼けを防止することができる日焼け止めシートを提供する。【解決手段】日焼け止めのために、紫外線を、反射することができるアルミニウムフイルムシートを表面とし、直接肌に貼りつける。さらに上記のシートの裏面に粘着性のある突起状シールを貼着し、シートの、周囲、端部は、曲線形状であり、日焼けを、目立たなくして日焼け止めシートを形成する。【選択図】図１
0003170494.tif 000002
【実用新案登録請求の範囲】
【請求項１】
日焼け止めのために、紫外線を、反射することができるシートを、直接肌に貼りつける、日焼け止めシート。
【請求項２】
所定形状の紫外線反射シートの裏面に粘着性のある突起状シールを貼着になることを特徴とする請求項１に記載の日焼け止めシート。
【請求項３】
シートの、周囲、端部は、曲線加工として、日焼けを、目立たなくする、請求項１もしくわ２に記載の日焼け止めシート。
【考案の詳細な説明】
【技術分野】
【０００１】  本考案は、紫外線を、反射することができるシートを、直接その部分に、貼り付けて日焼けを、防止するものである。
【背景技術】
【０００２】  日焼けなどから素肌を守るために、日焼け止めクリームなどを素肌に、直接塗り付けて防止する、しかし、そのクリームを、除去することを、怠ると、肌荒れなどを生じることになる。ならば、紫外線を、反射することができるシートを、直接貼り付けて日焼けなどから素肌を守る。又、日焼け止めクリームなどを塗り、除去、などの手間を、省くためにも、簡単に日焼け防止するために、考案しました。
【先行技術文献】
【０００３】
【特許文献】
【０００４】
【特許文献１】登録実用新案第３１４７０９９号
【特許文献２】特開２００７−７３７３
【考案の概要】
【考案が解決しようとする課題】
【０００５】  解決しようとする問題点は、日焼け止めクリームなどを素肌に、直接塗ることで、肌荒れなどを生じることになる、又、肌に、出来物などがある場合にも障害となるであろう。
【課題を解決するための手段】
【０００６】  紫外線を反射する事のできるシートを、直接肌に貼り付けて日焼け防止とする。
【考案の効果】  日焼け止めクリームなどを素肌に、直接塗らないので、肌荒れなどを生じることがなくなる。
【図面の簡単な説明】
【０００７】
【図１】使用状態の正面よりの説明図である。
【図２】接着側の説明図である。
【図３】使用状態の断面図である。
【考案を実施するための形態】
【０００８】  日焼け止めクリームを、多量に塗りすぎた場合や、除去することを、怠った場合、肌荒れを生じることになる。表面に紫外線を反射することができるシートを、直接肌に貼り付けて日焼け防止とする。シート裏面には、肌との隙間には、空気層を設け、発汗作用による接着性の衰えなく持続を高めるために、全面接着でなしに、粘着性のある突起部分で、部分接着とすることで、空気の流通を良くした。
図１は、顔に日焼け止めシートを、使用した状態を正面より描いたものである。図２に、記入した詳細は、地肌と日焼け止めシートの、接着側で、粘着性のある突起状物を示す。図３は、粘着性のある突起状の、隙間断面を、描いたものである
【０００９】  表面には、紫外線を、反射することができるシート、裏面には、肌に接着性のある粘着性の突起状のシールの構成からなる、日焼け止めシートを、貼り付けて日焼け防止する場合、接着性持続を良くするため、その接着部分の、接着面が、凹凸状にも対応することができるように、又、顔など表情などによる伸縮にも追随可能とするために、シート自体を、薄くて軟質状のものとする、裏面の粘着性のある突起状のシールについては、汗などの対策として、接着力が強いものを使用し、肌にも害することのないものである。
【０００１０】  日焼け止めシートは、元来販売されている直接肌に貼り付ける日焼け止めクリームなどに比べ、肌への障害が、少なく、接着性が持続されている場合は、繰り返し、使用可能とすることができ、除去時、水洗いを必要としないので、安価である。
【符号の説明】
【０００１１】１、日焼け止め反射シート
２、粘着性のある突起状シール
３、周囲、端部、曲線加工
【図１】
0003170494.tif 000003
【図２】
0003170494.tif 000004
【図３】
0003170494.tif 000005
【手続補正書】
【提出日】平成23年7月1日(2011.7.1)
【手続補正１】
【補正対象書類名】実用新案登録請求の範囲
【補正対象項目名】全文
【補正方法】変更
【補正の内容】
【実用新案登録請求の範囲】
【請求項１】
日焼け止めのために、紫外線を、反射することができるアルミニウムフイルムシートを表面とし、直接肌に貼りつける、日焼け止めシート。
【請求項２】
所定形状の紫外線反射シートの裏面に粘着性のある突起状シールを貼着したことを特徴とする請求項１に記載の、日焼け止めシート。
【請求項３】
シートの、周囲、端部は、曲線形状であり、日焼けを、目立たなくする、請求項１もしくわ２に記載の、日焼け止めシート。
【手続補正３】
【補正対象書類名】明細書
【補正対象項目名】全文
【補正方法】変更
【補正の内容】
【考案の詳細な説明】
【技術分野】
【０００１】本考案は、紫外線を、反射することができるアルミニウムフイルムシートを、直接その部分に、貼り付けて日焼けを、防止するものである。
【背景技術】
【０００２】  日焼けなどから素肌を守るために、日焼け止めクリームなどを素肌に、直接塗り付けて防止する、しかし、そのクリームを、除去することを、怠ると、肌荒れなどを生じることになる。ならば、紫外線を、反射することができるアルミニウムフイルムシートを、直接貼り付けて日焼けなどから素肌を守る。
又、日焼け止めクリームなどを塗り、除去、などの手間を、省くためにも、簡単に日焼け防止するために、考案しました。【０００３】
【先行技術文献】
【特許文献】
【０００４】
【特許文献１】登録実用新案第３１４７０９９号
【特許文献２】特開２００７−７３７３
【考案の概要】
【考案が解決しようとする課題】
【０００５】  解決しようとする問題点は、日焼け止めクリームなどを素肌に、直接塗ることで、肌荒れなどを生じることになる、又、肌に、出来物などがある場合にも障害となるであろう。
【課題を解決するための手段】
【０００６】  紫外線を反射する事のできるアルミニウムフィルムシートを、直接肌に貼り付けて日焼け防止とする。
【考案の効果】  日焼け止めクリームなどを素肌に、直接塗らないので、肌荒れなどを生じることがなくなる。
【図面の簡単な説明】
【０００７】
【図１】使用状態の正面よりの説明図である。
【図２】接着側の説明図である。
【図３】使用状態の断面図である。
【考案を実施するための形態】
【０００８】  日焼け止めクリームを、多量に塗りすぎた場合や、除去することを、怠った場合、肌荒れを生じることになる。表面に紫外線を反射することができるシートを、直接肌に貼り付けて日焼け防止とする。シート裏面には、肌との隙間には、空気層を設け、発汗作用による接着性の衰えなく持続を高めるために、全面接着でなしに、粘着性のある突起部分で、部分接着とすることで、空気の流通を良くした。
図１は、顔に日焼け止めシートを、使用した状態を正面より描いたものである。図２に、記入した詳細は、地肌と日焼け止めシートの、接着側で、粘着性のある突起状物を示す。図３は、粘着性のある突起状の、隙間断面を、描いたものである
【０００９】  表面には、紫外線を、反射することができるアルミニウムフイルムシート、裏面には、肌に接着性のある粘着性の突起状のシールの構成からなる、日焼け止めシートを、貼り付けて日焼け防止する場合、接着性持続を良くするため、その接着部分の、接着面が、凹凸状にも対応することができるように、又、顔など表情などによる伸縮にも追随可能とするために、シート自体を、薄くて軟質状のものとする、裏面の粘着性のある突起状のシールについては、汗などの対策として、接着力が強いものを使用し、肌にも害することのないものである。
【０００１０】  日焼け止めシートは、元来販売されている直接肌に貼り付ける日焼け止めクリームなどに比べ、肌への障害が、少なく、接着性が持続されている場合は、繰り返し、使用可能とすることができ、除去時、水洗いを必要としないので、安価である。
【符号の説明】
【０００１１】１、アルミニウムフイルム日焼け止め反射シート
２、粘着性のある突起状シール
３、周囲、端部、波状曲線加工